(57)【特許請求の範囲】
【請求項１】
無線通信システムにおける無線制御装置であって、
移動機と無線基地局との間の無線通信を制御する制御部を有し、
前記制御部は、前記移動機からの所定の接続要求を規制するアクセス規制の規制状況を検出し、前記検出した規制状況に応じてCell_PCH状態の移動機をアイドル状態へ遷移させる無線制御装置。
【請求項２】
前記制御部は、
前記アクセス規制が発動されているか否かを検出するアクセス規制検知部と、
前記アクセス規制検知部が前記アクセス規制が発動されていることを検知すると、前記Cell_PCH状態の移動機をRRC_IDLE状態に遷移させる状態遷移制御部と、
を有する、請求項１記載の無線制御装置。
【請求項３】
前記制御部は、
前記アクセス規制の規制度合いを示すアクセス規制レベルを取得するアクセス規制レベル取得部と、
前記アクセス規制レベル取得部により取得されたアクセス規制レベルが所定の閾値以上である場合、前記Cell_PCH状態の移動機をRRC_IDLE状態に遷移させる状態遷移制御部と、
を有する、請求項１記載の無線制御装置。
【請求項４】
当該無線制御装置は、UMTS (Universal Mobile Telecommunications System)システムにおけるRNCである、請求項１乃至３何れか一項記載の無線制御装置。
【請求項５】
前記アクセス規制レベル取得部は、Cell_PCH状態の移動機からのパケット発信又はセル移動に伴うCell Updateメッセージを受信すると、前記Cell Updateメッセージの受信セルのパケットのアクセス規制レベルを取得し、
前記状態遷移制御部は、前記取得されたアクセス規制レベルが所定の閾値以上である場合、前記Cell Updateメッセージを送信した移動機をRRC_IDLE状態に遷移させる、請求項３記載の無線制御装置。
【請求項６】
無線通信システムにおける無線制御方法であって、
移動機からの所定の接続要求を規制するアクセス規制の規制状況を検出するステップと、
前記検出した規制状況に応じてCell_PCH状態の移動機をアイドル状態へ遷移させるステップと、
を有する無線制御方法。
【請求項７】
前記検出するステップは、前記アクセス規制が発動されているか否かを検出し、
前記遷移させるステップは、前記アクセス規制が発動されていることを検知すると、前記Cell_PCH状態の移動機をRRC_IDLE状態に遷移させる、請求項６記載の無線制御方法。
【請求項８】
前記検出するステップは、前記アクセス規制の規制度合いを示すアクセス規制レベルを取得し、
前記遷移させるステップは、前記取得されたアクセス規制レベルが所定の閾値以上である場合、前記Cell_PCH状態の移動機をRRC_IDLE状態に遷移させる、請求項６記載の無線制御方法。
【発明の詳細な説明】
【技術分野】
【０００１】
本発明は、無線通信システムにおける無線制御装置及び無線制御方法に関する。
【背景技術】
【０００２】
3GPP（3rd Generation Partnership Project）において仕様化されたUMTS（Universal Mobile Telecommunications System）におけるRNC（Radio Network Controller）では、加入者クラスが優先加入者か否か、或いは、緊急呼か否かに応じて、AS（Access Stratum）レイヤにおいてRRC_IDLE状態の移動機に音声・データ通信の発信規制をかけることができる（ACB：Access Class Barring）。また、RRC_IDLE状態の移動機には、CSドメイン（音声）及びPSドメイン（パケット）のドメイン毎に独立に発信規制をかけることもできる（DSAC：Domain Specific Access Control）。また、RRC_Connected状態且つ間欠受信状態であるCell_PCH状態の移動機にはCSドメイン（音声）の発信規制をかけることもできる（非特許文献１を参照）。
【０００３】
同じく、3GPPにおいて仕様化されたLTE（Long Term Evolution）におけるeNodeBでは、加入者クラスが優先加入者か否かに応じて、AS（Access Stratum）レイヤにおいてRRC_IDLE状態の移動機に発信規制をかけることができる（ACB：Access Class Barring）。更に、RRC_IDLE状態の移動機には、NAS（Non Access Stratum）レイヤにて特定のサービス（例えば、一般音声通信やビデオ通信）のみを規制することもできる（SSAC：Service Specific Access Control）（非特許文献２を参照）。また、RRC_Connected状態且つ間欠受信状態であるDRX（Discontinous Reception）状態の移動機に対しても、SSACを適用可能であることが開示されている（特許文献１を参照）。
【先行技術文献】
【特許文献】
【０００４】
【特許文献１】特開２０１３−２３９８４９
【非特許文献】
【０００５】
【非特許文献１】３ＧＰＰ技術仕様書  ＴＳ２５．３３１
【非特許文献２】３ＧＰＰ技術仕様書  ＴＳ３６．３３１
【発明の概要】
【発明が解決しようとする課題】
【０００６】
しかしながら、UMTSにおけるCell_PCH状態の移動機にはPSドメイン（パケット）の発信規制をかけることができない。したがって、多くのCell_PCH状態の移動機がいるエリアで、地震等の災害発生によりCell_PCH状態の移動機が一斉にデータ通信を開始すると、RACH（Random Access Channel）信号の増加により、そのエリアにおける優先呼や緊急呼の疎通率が劣化してしまう。
【０００７】
また、LTEでは、特許文献１のように、DRX状態の移動機にSSACを適用できる技術が知られているが、当該技術は移動機の改造を伴う。
【０００８】
上記問題点を鑑み、本発明の課題は、移動機の改造を伴うことなく、DRX状態（LTE）やCell_PCH状態（3G）の移動機がいる状況下において優先呼や緊急呼の疎通率を高めることを可能にする無線制御装置及び無線制御方法を提供することである。
【課題を解決するための手段】
【０００９】
上記課題を解決するため、本発明の一態様は、無線通信システムにおける無線制御装置であって、移動機と無線基地局との間の無線通信を制御する制御部を有し、前記制御部は、前記移動機からの所定の接続要求を規制するアクセス規制の規制状況を検出し、前記検出した規制状況に応じて所定の通信状態の移動機をアイドル状態へ遷移させる無線制御装置に関する。
【００１０】
本発明の他の態様は、無線通信システムにおける無線制御方法であって、移動機からの所定の接続要求を規制するアクセス規制の規制状況を検出するステップと、前記検出した規制状況に応じて所定の通信状態の移動機をアイドル状態へ遷移させるステップとを有する無線制御方法に関する。
【発明の効果】
【００１１】
本発明によると、移動機の改造を伴うことなく、DRX状態（LTE）やCell_PCH状態（3G）の移動機がいる状況下において優先呼や緊急呼の疎通率を高めることを可能にする無線制御装置及び無線制御方法を提供することができる。
【図面の簡単な説明】
【００１２】
【図１】図１は、本発明の一実施形態による無線通信システムの概略図である。
【図２】図２は、本発明の第１実施例による無線制御装置の機能構成を示すブロック図である。
【図３】図３は、本発明の第１実施例による無線制御装置による状態遷移制御処理を示すフロー図である。
【図４】図４は、本発明の第２実施例による無線制御装置の機能構成を示すブロック図である。
【図５】図５は、本発明の第２実施例による無線制御装置による状態遷移制御処理を示すフロー図である。
【図６】図６は、本発明の第２実施例による無線制御装置による状態遷移制御処理の変形例を示すフロー図である。
【発明を実施するための形態】
【００１３】
以下、図面に基づいて本発明の実施の形態を説明する。
【００１４】
後述される実施例では、無線通信システムにおける無線制御装置が開示される。本発明を概略すると、無線基地局と移動機との間の無線通信を制御する無線制御装置は、移動機からの所定の接続要求を規制するアクセス規制の規制状況を検出し、検出した規制状況に応じて所定の通信状態の移動機をアイドル状態へ遷移させる。一実施例では、無線制御装置は、アクセス規制が発動されているか否かを検出し、アクセス規制が発動されていることを検知すると、LTEシステムのDRX状態又はUMTSシステムのCell_PCH状態などの間欠受信状態の移動機をRRC_IDLE状態に遷移させる。他の実施例では、無線制御装置は、アクセス規制の規制度合いを示すアクセス規制レベルを取得し、取得したアクセス規制レベルが所定の閾値以上である場合、LTEシステムのDRX状態又はUMTSシステムのCell_PCH状態などの間欠受信状態の移動機をRRC_IDLE状態に遷移させる。
【００１５】
これにより、アクセス規制が発動された状況又はアクセス規制レベルが一定値を超過した状況下において、間欠受信状態の移動機をRRC_IDLE状態に遷移させることが可能になり、移動機の改造を伴うことなく間欠受信状態の移動機からの接続要求（RACH）信号の増加を抑止することが可能となり、優先呼や緊急呼の疎通率の劣化を回避することが可能になる。
【００１６】
図１を参照して、本発明の一実施形態による無線通信システムを説明する。図１は、本発明の一実施形態による無線通信システムの概略図である。
【００１７】
図１に示されるように、無線通信システム１は、コアネットワーク１０、無線制御装置１００Ａ，１００Ｂ（以降において、無線制御装置１００と総称する）、無線基地局２００Ａ〜２００Ｃ（以降において、無線基地局２００と総称する）及び移動機３００Ａ，３００Ｂ（以降において、移動機３００と総称する）を有する。典型的には、無線通信システム１では、複数の無線制御装置１００がコアネットワーク１０に接続され、複数の無線基地局２００が無線制御装置１００に接続され、複数の移動機３００が無線通信するため無線基地局２００に無線接続する。例えば、無線通信システム１は、LTEやUMTSにおける無線通信システムであってもよい。
【００１８】
コアネットワーク１０は、例えば、交換局、パケット通信や音声通信をサポートする各種ノードなどから構成され、無線通信システム１に加入している移動機３００に各種無線通信サービスを提供する。
【００１９】
無線制御装置１００は、無線基地局２００と移動機３００との間の無線通信を制御する。無線制御装置１００は、典型的には、コアネットワーク１０及び無線基地局２００と通信するための通信インタフェース、無線基地局２００と移動機３００との間の無線通信を制御するためのプロセッサ、メモリ、回路などのハードウェアリソースにより構成される。後述される無線制御装置１００の各機能及び処理は、メモリに格納されているデータやプログラムをプロセッサが処理又は実行することによって実現されてもよい。しかしながら、無線制御装置１００は、上述したハードウェア構成に限定されず、他の何れか適切なハードウェア構成を有してもよい。なお、図１では、無線制御装置１００と無線基地局２００とを別個の構成要素として記載したが、LTEでは無線制御装置１００と無線基地局２００とは一体化した装置（ｅＮｏｄｅＢ）となっている。
【００２０】
無線基地局２００は、無線制御装置１００による制御下において移動機３００と無線通信する。典型的には、複数の無線基地局２００が、無線通信システム１のサービスエリアをカバーするように配置され、例えば、図示されるように、無線基地局２００Ａ〜２００Ｃは、移動機３００Ａ、３００Ｂとの通信信号を送受信可能なエリアとしてそれぞれセクタ４００Ａ〜４００Ｃをカバーする。セクタ４００Ａ〜４００Ｃのそれぞれでは、互いにキャリア周波数の異なる有限数のセルがオーバーレイされている。本実施例では、１つの無線基地局２００で１セクタをカバーする例を示しているが、１つの無線基地局２００で複数のセクタをカバーする構成もあり得る。
【００２１】
移動機３００は、スマートフォン、携帯電話、タブレット、ウェアラブル端末などの無線通信機能を備えた何れか適切な情報処理装置であり、無線基地局２００と無線接続することによって、無線通信システム１により提供される各種通信サービスを利用する。
【００２２】
次に、図２〜３を参照して、本発明の第１実施例による無線制御装置を説明する。図２は、本発明の第１実施例による無線制御装置の機能構成を示すブロック図である。
【００２３】
図２に示されるように、無線制御装置１００は、コアネットワーク（ＣＮ）側通信部１０１、無線基地局（ＢＳ）側通信部１０３及び制御部１０５を有し、制御部１０５は、アクセス規制検知部１０７及び状態遷移制御部１０９を有する。説明の便宜上、本発明の実現に関連する上記構成要素に着目して無線制御装置１００を説明するが、無線制御装置１００は、典型的には、図示しない又は説明を省略した他の構成要素（電源部など）を備えることに留意されたい。
【００２４】
ＣＮ側通信部１０１は、コアネットワーク１０との通信を実行するための通信インタフェースを提供する。ＣＮ側通信部１０１は、コアネットワーク１０から受信した各種データ信号及び制御信号をＢＳ側通信部１０３及び制御部１０５に送信すると共に、ＢＳ側通信部１０３及び制御部１０５から受信した各種データ信号及び制御信号をコアネットワーク１０に送信する。
【００２５】
ＢＳ側通信部１０３は、無線基地局２００との通信を実行するための通信インタフェースを提供する。ＢＳ側通信部１０３は、無線基地局２００から受信した各種データ信号及び制御信号をＣＮ側通信部１０１及び制御部１０５に送信すると共に、ＣＮ側通信部１０１及び制御部１０５から受信した各種データ信号及び制御信号を無線基地局２００に送信する。
【００２６】
制御部１０５は、無線基地局２００と移動機３００との間の無線通信を制御し、移動機３００からの所定の接続要求を規制するアクセス規制の規制状況を検出し、検出した規制状況に応じて所定の通信状態の移動機３００をアイドル状態へ遷移させる。第１実施例による無線制御装置１００では、制御部１０５は、アクセス規制検知部１０７及び状態遷移制御部１０９を有し、RRC_IDLE状態の移動機３００からの接続要求を規制するアクセス規制が発動されているかに応じて、所定の通信状態の移動機３００をRRC_IDLE状態に遷移させる。
【００２７】
アクセス規制検知部１０７は、アクセス規制が発動されているか否かを検出する。具体的には、アクセス規制検知部１０７は、ＣＮ側通信部１０１を定期的に監視し、無線制御装置１００の配下の無線基地局２００のセルへの移動機３００によるアクセスが、無線通信システム１のオペレータなどによって規制されているか検知する。例えば、アクセス規制検知部１０７は、ＣＮ側通信部１０１を介しコアネットワーク１０から通知されたアクセス規制発動指示を受信したことに応答して、アクセス規制が発動されたことを検出することができる。アクセス規制の発動を検出すると、アクセス規制検知部１０７は、アクセス規制が発動されたことを状態遷移制御部１０９に通知する。
【００２８】
当該アクセス規制発動指示は、典型的には、特定の通信状態の移動機３００からの接続要求を規制するか指定する。例えば、アクセス規制発動指示は、指定された無線基地局２００のセルへのRRC_IDLE状態の移動機３００による接続要求を規制するものであってもよい。しかしながら、本発明によるアクセス規制発動指示は、これに限定されるものでなく、他の何れか適切なアクセス規制を指示するものであってもよい。
【００２９】
状態遷移制御部１０９は、アクセス規制検知部１０７がアクセス規制が発動されていることを検知すると、所定の通信状態の移動機３００をRRC_IDLE状態に遷移させる。具体的には、状態遷移制御部１０９は、アクセス規制検知部１０７からアクセス規制の発動が通知されると、アクセス規制の対象となるRRC_IDLE状態以外の他の通信状態の移動機３００を特定し、特定した移動機３００をRRC_IDLE状態に遷移させる。すなわち、状態遷移制御部１０９は、配下の無線基地局２００に在圏する各移動機３００の通信状態を管理しており、アクセス規制発動指示に示されるアクセス規制の対象となる通信状態の移動機３００を特定する。例えば、無線通信システム１がLTEシステムであり、無線制御装置１００がLTEシステムにおけるeNodeBである場合、アクセス規制の対象となる通信状態は、DRX状態であってもよい。また、無線通信システム１がUMTSシステムであり、無線制御装置１００がUMTSシステムにおけるRNC（Radio Network Controller）である場合、アクセス規制の対象となる通信状態は、Cell_PCH状態であってもよい。このようにしてアクセス規制の対象となる通信状態の移動機３００を特定すると、状態遷移制御部１０９は、RRC_IDLE状態に遷移させるための状態遷移信号を特定した移動機３００に通知する。当該状態遷移信号を受信すると、移動機３００は、無線基地局２００とのRRC接続を解放し、RRC_IDLE状態に遷移する。
【００３０】
図３は、本発明の第１実施例による無線制御装置による状態遷移制御処理を示すフロー図である。
【００３１】
図３に示されるように、ステップＳ１１０において、アクセス規制検知部１０７は、アクセス規制が発動されているか否かを検出することによって、移動機３００からの所定の接続要求を規制するアクセス規制の規制状況を検出する。具体的には、アクセス規制検知部１０７は、配下の無線基地局２００の各セルでアクセス規制が発動されているか否かを監視する。例えば、アクセス規制検知部１０７は、ＣＮ側通信部１０１から受信したコアネットワーク１０からの制御信号にアクセス規制発動指示が含まれているか監視してもよい。
【００３２】
ステップＳ１２０において、アクセス規制検知部１０７は、監視対象セルでアクセス規制が発動されているか判断する。監視対象セルでアクセス規制が発動されていない場合（Ｓ１２０：Ｎｏ）、ステップＳ１３０において、状態遷移制御部１０９は、当該セルに在圏する移動機３００の現在の通信状態を継続させる。例えば、状態遷移制御部１０９は、DRX状態又はCell_PCH状態の移動機３００の通信状態をDRX状態又はCell_PCH状態に維持する。
【００３３】
他方、監視対象セルでアクセス規制が発動されている場合（Ｓ１２０：Ｙｅｓ）、ステップＳ１４０において、状態遷移制御部１０９は、当該セルに在圏する所定の通信状態の移動機３００の通信状態をアイドル状態に遷移させる。例えば、状態遷移制御部１０９は、DRX状態又はCell_PCH状態の移動機３００の通信状態をRRC_IDLE状態に遷移させる。
【００３４】
第１実施例によると、アクセス規制が発動されたセルに在圏する間欠受信状態の移動機３００をアイドル状態に遷移させる。これにより、UMTSシステムのCell_PCH状態の移動機３００が、災害発生等により一斉にデータ通信を開始することにより優先呼や緊急呼の疎通率の劣化を回避することが可能になると共に、LTEシステムにおいてSSACを適用するために移動機３００を改変することなく、LTEシステムにおける優先呼や緊急呼の疎通率を向上させることが可能になる。
【００３５】
次に、図４〜６を参照して、本発明の第２実施例による無線制御装置を説明する。図４は、本発明の第２実施例による無線制御装置の機能構成を示すブロック図である。
【００３６】
図４に示されるように、無線制御装置１００は、コアネットワーク（ＣＮ）側通信部１１１、無線基地局（ＢＳ）側通信部１１３及び制御部１１５を有し、制御部１１５は、アクセス規制レベル取得部１１７及び状態遷移制御部１１９を有する。説明の便宜上、本発明の実現に関連する上記構成要素に着目して無線制御装置１００を説明するが、無線制御装置１００は、典型的には、図示しない又は説明を省略した他の構成要素（電源部など）を備えることに留意されたい。
【００３７】
ＣＮ側通信部１１１は、コアネットワーク１０との通信を実行するための通信インタフェースを提供する。ＣＮ側通信部１１１は、コアネットワーク１０から受信した各種データ信号及び制御信号をＢＳ側通信部１１３及び制御部１１５に送信すると共に、ＢＳ側通信部１１３及び制御部１１５から受信した各種データ信号及び制御信号をコアネットワーク１０に送信する。
【００３８】
ＢＳ側通信部１１３は、無線基地局２００との通信を実行するための通信インタフェースを提供する。ＢＳ側通信部１１３は、無線基地局２００から受信した各種データ信号及び制御信号をＣＮ側通信部１１１及び制御部１１５に送信すると共に、ＣＮ側通信部１１１及び制御部１１５から受信した各種データ信号及び制御信号を無線基地局２００に送信する。
【００３９】
制御部１１５は、無線基地局２００と移動機３００との間の無線通信を制御し、移動機３００からの所定の接続要求を規制するアクセス規制の規制状況を検出し、検出した規制状況に応じて所定の通信状態の移動機３００をアイドル状態へ遷移させる。第２実施例による無線制御装置１００では、制御部１１５は、アクセス規制レベル取得部１１７及び状態遷移制御部１１９を有し、アクセス規制の規制度合いを示すアクセス規制レベルに応じて、所定の通信状態の移動機３００をRRC_IDLE状態に遷移させる。
【００４０】
アクセス規制レベル取得部１１７は、アクセス規制の規制度合いを示すアクセス規制レベルを取得する。具体的には、アクセス規制レベル取得部１１７は、ＣＮ側通信部１１１を定期的に監視し、無線制御装置１００の配下の無線基地局２００のセルへの移動機３００のアクセス規制のレベルを示すアクセス規制レベルを取得する。例えば、アクセス規制の対象となるセルへの移動機３００によるアクセス要求のうちｘ％のみを受理し、その他のアクセス要求を拒絶するアクセス規制が、無線通信システム１のオペレータなどにより実施されている場合、アクセス規制レベルはｘ％として規定されてもよい。しかしながら、本発明によるアクセス規制レベルは、これに限定されるものでなく、他の何れか適切なものであってもよい。アクセス規制レベル取得部１１７は、取得したアクセス規制レベルを状態遷移制御部１１９に通知する。
【００４１】
アクセス規制レベル取得部１１７は、アクセス規制の対象となるセルのアクセス規制レベルを定期的に取得してもよい。また、無線通信システム１がUMTSシステムである実施例では、アクセス規制レベル取得部１１７は、Cell_PCH状態の移動機３００からのパケット発信又はセル移動に伴うCell Updateメッセージを受信すると、Cell Updateメッセージの受信セルのパケットのアクセス規制レベルを取得してもよい。
【００４２】
状態遷移制御部１１９は、アクセス規制レベル取得部１１７により取得されたアクセス規制レベルが所定の閾値以上である場合、所定の通信状態の移動機３００をRRC_IDLE状態に遷移させる。ここで、当該閾値は、例えば、優先呼や緊急呼の疎通率を劣化させないアクセス規制レベルであってもよく、予め設定された値又は動的に設定される値であってもよい。具体的には、アクセス規制レベル取得部１１７からアクセス規制の対象となるセルのアクセス規制レベルが通知されると、状態遷移制御部１１９は、通知されたアクセス規制レベルが所定の閾値以上であるか判断する。アクセス規制レベルが所定の閾値以上である場合、状態遷移制御部１１９は、アクセス規制の対象となるRRC_IDLE状態以外の他の通信状態の移動機３００を特定し、特定した移動機３００をRRC_IDLE状態に遷移させる。すなわち、状態遷移制御部１１９は、配下の無線基地局２００に在圏する各移動機３００の通信状態を管理しており、アクセス規制の対象となる通信状態の移動機３００を特定する。例えば、無線通信システム１がLTEシステムであり、無線制御装置１００がLTEシステムにおけるeNodeBである場合、アクセス規制の対象となる通信状態は、DRX状態であってもよい。また、無線通信システム１がUMTSシステムであり、無線制御装置１００がUMTSシステムにおけるRNC（Radio Network Controller）である場合、アクセス規制の対象となる通信状態は、Cell_PCH状態であってもよい。このようにしてアクセス規制の対象となる通信状態の移動機３００を特定すると、状態遷移制御部１１９は、RRC_IDLE状態に遷移させるための状態遷移信号を特定した移動機３００に通知する。当該状態遷移信号を受信すると、移動機３００は、無線基地局２００とのRRC接続を解放し、RRC_IDLE状態に遷移する。
【００４３】
他方、アクセス規制レベルが所定の閾値未満である場合、状態遷移制御部１１９は、移動機３００の現在の通信状態を維持し、制御部１１５は、取得したアクセス規制レベルに従って移動機３００からの接続要求を受理又は拒絶する。
【００４４】
上述したように、アクセス規制レベル取得部１１７が、Cell_PCH状態の移動機３００からのパケット発信又はセル移動に伴うCell Updateメッセージを受信したことに応答して、Cell Updateメッセージの受信セルのパケットのアクセス規制レベルを取得する場合、状態遷移制御部１１９は、取得されたアクセス規制レベルが所定の閾値以上であるときに、Cell Updateメッセージを送信した移動機３００をRRC_IDLE状態に遷移させてもよい。
【００４５】
図５は、本発明の第２実施例による無線制御装置による状態遷移制御処理を示すフロー図である。
【００４６】
図５に示されるように、ステップＳ２１０において、アクセス規制レベル取得部１１７は、アクセス規制の規制度合いを示すアクセス規制レベルを取得することによって、移動機３００からの所定の接続要求を規制するアクセス規制の規制状況を検出する。具体的には、アクセス規制レベル取得部１１７は、配下の無線基地局２００の各セルのアクセス規制レベルを取得する。例えば、アクセス規制レベル取得部１１７は、ＣＮ側通信部１１１から受信したコアネットワーク１０からの制御信号からアクセス規制レベルを取得してもよい。
【００４７】
ステップＳ２２０において、状態遷移制御部１１９は、あるセルについて取得したアクセス規制レベルが所定の閾値以上であるか判断する。アクセス規制レベルが閾値未満である場合（Ｓ２２０：Ｎｏ）、ステップＳ２３０において、状態遷移制御部１１９は、当該セルに在圏する移動機３００の現在の通信状態を継続させる。例えば、状態遷移制御部１１９は、DRX状態又はCell_PCH状態の移動機３００の通信状態をDRX状態又はCell_PCH状態に維持する。
【００４８】
他方、アクセス規制レベルが閾値以上である場合（Ｓ２２０：Ｙｅｓ）、ステップＳ２４０において、状態遷移制御部１１９は、当該セルに在圏する所定の通信状態の移動機３００の通信状態をアイドル状態に遷移させる。例えば、状態遷移制御部１１９は、DRX状態又はCell_PCH状態の移動機３００の通信状態をRRC_IDLE状態に遷移させる。
【００４９】
図６は、本発明の第２実施例による無線制御装置による状態遷移制御処理の変形例を示すフロー図である。当該変形例による無線制御装置１００は、UMTSシステムにおけるRNCである。
【００５０】
図６に示されるように、ステップＳ３１０において、ＢＳ側通信部１１３は、Cell_PCH状態の移動機３００からパケット発信又はセル移動に伴うCell Updateメッセージを受信する。
【００５１】
ステップＳ３２０において、アクセス規制レベル取得部１１７は、受信したCell Updateメッセージの受信セルのパケットのアクセス規制レベルを取得する。
【００５２】
ステップＳ３３０において、状態遷移制御部１１９は、当該受信セルについて取得したアクセス規制レベルが所定の閾値以上であるか判断する。アクセス規制レベルが閾値未満である場合（Ｓ３３０：Ｎｏ）、ステップＳ３４０において、状態遷移制御部１１９は、当該Cell Updateメッセージに従って、Cell Updateメッセージ送信元の移動機３００の通信状態を遷移させる。例えば、Cell Updateメッセージがパケット発信のために送信された場合、状態遷移制御部１１９は、当該移動機３００をパケット発信のためのCell_DCH状態又はCell_FACH状態に遷移させる。あるいは、Cell Updateメッセージがセル移動のために送信された場合、状態遷移制御部１１９は、当該移動機３００をセル移動のためのCell_PCH状態に維持する。
【００５３】
他方、アクセス規制レベルが閾値以上である場合（Ｓ３３０：Ｙｅｓ）、ステップＳ３５０において、状態遷移制御部１１９は、当該セルに在圏する所定の通信状態の移動機３００の通信状態をアイドル状態に遷移させる。例えば、状態遷移制御部１１９は、Cell_PCH状態の移動機３００の通信状態をRRC_IDLE状態に遷移させる。
【００５４】
第２実施例によると、アクセス規制レベルが所定の閾値以上であるセルに在圏する移動機３００をアイドル状態に遷移させることによって、UMTSシステムのCell_PCH状態の移動機３００が、災害発生等により一斉にデータ通信を開始することにより優先呼や緊急呼の疎通率の劣化を回避することが可能になると共に、LTEシステムにおいてSSACを適用するため移動機３００を改変することなく、LTEシステムにおける優先呼や緊急呼の疎通率を向上させることが可能になる。
【００５５】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５６】
１  無線通信システム
１０  コアネットワーク
１００  無線制御装置
２００  無線基地局
３００  移動機
４００  セクタ
１０１，１１１  ＣＮ側通信部
１０３，１１３  ＢＳ側通信部
１０５，１１５  制御部
１０７  アクセス規制検知部
１１７  アクセス規制レベル取得部
１０９，１１９  状態遷移制御部
【要約】
【課題】移動機の改造を伴うことなく、DRX状態（LTE）やCell_PCH状態（3G）の移動機がいる状況下において優先呼や緊急呼の疎通率を高めることを可能にする無線制御装置及び無線制御方法を提供することである。
【解決手段】本発明の一態様は、無線通信システムにおける無線制御装置であって、移動機と無線基地局との間の無線通信を制御する制御部を有し、前記制御部は、前記移動機からの所定の接続要求を規制するアクセス規制の規制状況を検出し、前記検出した規制状況に応じて所定の通信状態の移動機をアイドル状態へ遷移させる無線制御装置に関する。
【選択図】図２【図１】
0005869069.tif 000002
【図２】
0005869069.tif 000003
【図３】
0005869069.tif 000004
【図４】
0005869069.tif 000005
【図５】
0005869069.tif 000006
【図６】
0005869069.tif 000007